(57)【要約】  化粧方法であって、ａ）カラーカメラ（２１）を装備するデバイス（２０）を使って、および個人の体の部位からの色の獲得中に前記カメラのフィールド内に色基準チャート（３０）を配置することによって、色が獲得され、ｂ）デバイスと、ａ）で獲得された色と、任意選択で様々な皮膚色の日焼け経路についての情報とを使って、皮膚タイプに関する少なくとも１つの指示が配信され、かつ／あるいは個人によって色素沈着または色素脱失プロセスにより取得可能な少なくとも１つの皮膚色に関する少なくとも１つの指示が配信され、かつ／あるいは光防護、ならびに／または皮膚の色を一時的に変えることを意図した製品の適用もしくは管理に関する少なくとも１つの指示が配信される方法。
2015510405.tif 000002
【特許請求の範囲】
【請求項１】
化粧方法であって、
ａ）カラーカメラ（２１）を装備するデバイス（２０）を使って、および色の獲得中に前記カメラのフィールド内に色基準チャート（３０）を配置することによって、個人の体の部位からの色の獲得が行われ、
ｂ）前記デバイスと、ａ）で獲得された前記色と、任意で様々な皮膚色の日焼け経路についての情報とを使って、皮膚タイプに関する少なくとも１つの指示が配信され、かつ／あるいは色素沈着または色素脱失のプロセスにより前記個人が取得可能な少なくとも１つの皮膚色に関する少なくとも１つの指示が配信され、かつ／あるいは光防護、ならびに／または前記皮膚の前記色を一時的に変えることを意図した製品の適用もしくは管理に関する少なくとも１つの指示が配信される、方法。
【請求項２】
ステップａ）が、太陽に、または色素沈着もしくは色素脱失を誘発する外因性もしくは内因性刺激に露出されない部位、好ましくは前腕の上部、腹部、胸、または臀部の前記皮膚色を測定するのに使われる、請求項１に記載の方法。
【請求項３】
非露出部位に対して実施される前記測定が、皮膚タイプを決定するのに使われ、好ましくは皮膚タイプに関する情報が前記デバイスによって配信される、請求項２に記載の方法。
【請求項４】
ｃ）すでに太陽に露出されている可能性がある別の皮膚部位に対して、前記デバイス（２０）を使って、かつ好ましくは前記色基準チャート（３０）を前記カメラのフィールド内に配置して、第２の獲得が実施される、請求項２または３に記載の方法。
【請求項５】
前記デバイスを用いて情報が自動的に配信され、前記情報が、ａ）およびｃ）で実施された前記色の獲得と、日焼け経路についての情報とに基づいて、この他の部位によってすでに取得された前記色素沈着および／または光防護レベルに関する、請求項４に記載の方法。
【請求項６】
ユーザが、前記デバイスに、獲得されるべき所望の色素沈着レベルおよび／または皮膚色に関する情報を入力するよう依頼され、前記デバイスに入力された前記情報に少なくとも基づいて、適用されるべき前記光防護についての指示が配信される、請求項１から５のいずれか一項に記載の方法。
【請求項７】
ユーザが、所与の場所に留まる時間の長さについての情報を入力するよう依頼され、前記光防護に関する指示が、滞在の長さに関する前記情報に依存して配信される、請求項６に記載の方法。
【請求項８】
ユーザが、所望の皮膚色についての情報を入力するよう依頼され、前記デバイスが、ａ）またはｃ）で実施された獲得に少なくとも依存して、前記色素沈着のプロセスにより、または前記皮膚の前記色を一時的に変えることを意図した製品の適用もしくは管理により前記皮膚色を取得するための方法に関する情報を配信する、請求項１から７のいずれか一項に記載の方法。
【請求項９】
前記色基準チャート（３０）がウィンドウを含み、前記色の獲得が、前記チャートにおける少なくとも１つのウィンドウ（３１）を通して実施される、請求項１から８のいずれか一項に記載の方法。
【請求項１０】
前記色基準チャート（３０）が、少なくとも３つの異なるグレーレベル（Ｇ１、．．．、Ｇｎ）および少なくとも３つの異なる色（Ｃ１、．．．、Ｃｍ）を含む、請求項１から９のいずれか一項に記載の方法。
【請求項１１】
前記デバイス（２０）が、可搬型であるとともにスクリーンを備え、前記デバイスが好ましくは、ワイヤレス電話および／またはコンピュータ接続を装備する、請求項１から１０のいずれか一項に記載の方法。
【請求項１２】
前記デバイスによって指示が配信され、前記指示が、前記色素沈着のプロセスにより取得され得るユーザの実際の皮膚色に対応する皮膚色を取得するのに適用または管理されるべき、１つもしくは複数の製品および／または皮膚色を一時的に変えることを意図した製品もしくは器具の組合せに関し、前記指示が、ユーザの前記皮膚色、具体的には非露出皮膚色についての、およびユーザの日焼け経路についての情報により決定される、請求項１から１１のいずれか一項に記載の方法。
【請求項１３】
前記色の獲得が開始される前にプログラムがダウンロードされ、該プログラムが、前記デバイスに、前記色の獲得を実施させ、前記皮膚タイプに関する、および／または前記色素沈着もしくは色素脱失プロセスにより取得可能な１つもしくは複数の皮膚色に関する、および／または前記皮膚の前記色を一時的に変えることを意図した前記製品の適用もしくは管理に関する、および／または適用されるべき光防護組成物に関する１つまたは複数の指示を与えさせる、請求項１から１２のいずれか一項に記載の方法。
【請求項１４】
前記デバイスが、該デバイスの地理的場所を自動的に決定し、前記場所を考慮して、日常的太陽露出および／または適用されるべき前記光防護の予測レベルを決定し、かつ／あるいは日ごとに獲得されるべき色素沈着の変化を予測する、請求項１から１３のいずれか一項に記載の方法。
【請求項１５】
前記デバイスが、天気予報を前記デバイスに提供し、かつ／または天候関連データの少なくとも１つの項目、好ましくは環境ＵＶ放射強度の測定の結果を前記デバイスに提供するセンサに接続されたサーバを自動的に照会し、前記デバイスが、獲得されるべき色素沈着および／または適用されるべき前記光防護の変化を評価するために、前記予報および／または前記測定の結果を考慮する、請求項１から１４のいずれか一項に記載の方法。
【請求項１６】
前記デバイスが、活動を選択するようユーザに依頼し、選択された前記活動を考慮して、光防護を提唱し、かつ／または獲得されるべき色素沈着の変化を決定する、請求項１から１５のいずれか一項に記載の方法。
【請求項１７】
前記デバイスが、前記色をスクリーンに表示するとともに、非露出部位および／または別のすでに露出されているとともに色の獲得も実施されている部位におけるユーザの現在の皮膚色を前記スクリーンに同時に表示することによって、前記色素沈着のプロセスにより取得可能な少なくとも１つの皮膚色に関する前記指示を配信する、請求項１から１６のいずれか一項に記載の方法。
【請求項１８】
前記色の獲得に基づいてＩＴＡ°角度が算出され、ＩＴＡ°角度が、前記皮膚タイプおよび／または日焼け経路を決定するのに使われる、請求項１から１７のいずれか一項に記載の方法。
【請求項１９】
ａ＊を表す量が、太陽への露出の前および後に測定され、その差に依存して、紅斑の有無が決定される、請求項１から１８のいずれか一項に記載の方法。
【請求項２０】
紅斑が検出された場合、前記デバイスが警告メッセージを配信し、かつ／または適用するべき光防護組成物を推奨するときに紅斑を考慮する、請求項１９に記載の方法。
【請求項２１】
請求項１から２０のいずれか一項に記載の方法を特に実装するための色基準チャート（３０）であって、前記皮膚の前記色の獲得がそれを通して実施され得るウィンドウ（３１）を備え、前記チャートが、好ましくは、少なくとも３つの異なるグレーレベル（Ｇ１、．．．、Ｇｎ）および少なくとも３つの異なる色（Ｃ１、．．．、Ｃｍ）を含み、前記チャートが好ましくは、非条件等色インクを使っても作成され、前記チャートの残差条件等色が好ましくは、光源Ｄ６５、ＡおよびＣＷＬの下で、前記皮膚の前記色の測定の誤差を生じさせ、前記デバイスに、前記皮膚が実際よりも色白であると見なさせるチャート。
【請求項２２】
安全性要素をさらに含む、請求項２１に記載のチャート。
【請求項２３】
請求項１から２０のいずれか一項に記載の方法を実装するためのシステムであって、
・カラーカメラを装備する可搬型デバイス（２０）、好ましくはスマートフォンまたはタブレットコンピュータと、
・前記デバイスによって色座標が知られている色基準チャート（３０）とを備えるシステム。
【請求項２４】
請求項１から２０のいずれか一項に記載の方法を実装するための、データを含むコンピュータソフトウェアパッケージであって、前記データが、カメラを装備する、スマートフォンまたはタブレットコンピュータなどのデバイス（２０）に、好ましくはリモートサーバへの接続によってロードされると、
・皮膚に置かれた色基準チャート（３０）の画像の獲得を制御させ、
・前記色基準チャートおよび前記チャートに隣接する皮膚の部位を画像中で認識させ、
・前記デバイスの獲得ユニットを、前記チャートの絶対色座標についての情報により、比色分析により較正させ、
・皮膚タイプに関する指示ならびに／あるいは色素沈着または色素脱失のプロセスにより取得可能な少なくとも１つの個人皮膚色に関する指示ならびに／あるいは皮膚の色を一時的に変えることを意図した製品の適用または管理および／または適用されるべき光防護に関する指示を、画像中で測定された皮膚色の情報に、および任意選択で日焼け経路についての情報に基づいて生成させるコンピュータソフトウェアパッケージ。
【発明の詳細な説明】
【技術分野】
【０００１】
本発明は、皮膚の色素沈着および適用されるべき光防護に関するアドバイスの提供、ならびに／または日焼けにより取得可能な個々の皮膚色に関する。
【背景技術】
【０００２】
太陽放射に対する敏感度によって様々な皮膚タイプを分類するというアイディアは、長い間あった。したがって、１９７７年には早くも、Ｆｉｔｚｐａｔｒｉｃｋ分類により、日焼けしない白色人種の皮膚から、高度に色素沈着したアフリカ人の皮膚にわたる６つのフォトタイプＩ〜ＶＩを区別した。
【０００３】
続いて、より厳密な分類が、非特許文献１において提唱された。この分類は、皮膚のＣＩＥ（１９７６）Ｌ＊ａ＊ｂ＊色座標についての情報に、および個別類型角（ｉｎｄｉｖｉｄｕａｌ  ｔｙｐｏｌｏｇｙ  ａｎｇｌｅ）（ＩＴＡ°）＝（ａｒｃｔａｎ（（Ｌ＊−５０）／ｂ＊））＊１８０／ｐｉの算出に基づく。この分類によると、高いＩＴＡ°角度が色白の皮膚の特徴であり、低い角度が、より色素沈着した皮膚の特徴である。
【０００４】
日焼けする間に取得される皮膚色と皮膚タイプとの間には関係があることも知られている。Ａ．Ｃｈａｒｄｏｎは、上記論文において、日焼け経路を定義すること、すなわち太陽露出の増大の下での、所与の皮膚タイプについてのＬ＊およびｂ＊成分の変化を決定することが可能であることを証明した。
【０００５】
さらに、太陽への露出の危険性が、今ではよく知られており、光防護組成物をより頻繁に使用する傾向がある。ただし、ユーザは、光防護組成物を使うことを決断するとき、および速く日焼けしたい場合、太陽光線保護指数を選ぶという問題に直面する。
【０００６】
具体的には、太陽への露出により、最も色白の皮膚を除いて、メラニンが生成され、メラニンにより、皮膚は二次露出に対してより敏感でなくなる。ユーザが、指数が高すぎる光防護組成物を利用した場合、ユーザの皮膚は非常にゆっくりと日焼けするか、またはまったく日焼けしないので、個人は、たとえば、休暇のときにあり得るのだが、特に太陽に露出されるのに費やす時間が限られているとき、あまりにも日焼けしなかったことに不満を感じる場合がある。対照的に、ユーザが、指数が低すぎる光防護組成物を利用した場合、ユーザは、日焼けによる炎症を起こし、一定の期間、それ以上は太陽に露出することができなくなるという危険があり、その結果、いくつかの活動をあきらめざるを得なくなる。
【０００７】
消費者が選択を行うのを助けるために、ＵＶ放射が比較的強いとき、消費者に、当日または前もって、より指数の高い光防護組成物を使うよう勧めるためにＵＶ放射強度を知らせることが知られている。
【０００８】
ただし、ＵＶ指数を知っているからといって、適用するべき光防護組成物の選択が完全に簡単になるわけではなく、というのは、フォトタイプおよびすでに取得された日焼けの程度など、他の要因が考慮される必要があるからである。
【０００９】
ＵＶ放射センサを装備するデバイスも、この情報をどの瞬間にもユーザに提供するために提案されている。
【００１０】
本出願人は、特許文献１において、環境ＵＶ放射に適した保護指数を有する光防護組成物を、ユーザに自動的に届けるために、調整システムおよびＵＶ放射センサを有する複数の区画を備えるボトルを備え付けることをさらに提案している。
【００１１】
本出願人は、特許文献２において、ユーザの要求に最も良く対応すると思われる指数を有する光防護組成物を届けるように、混合システムを自動的にセットさせるデータ受信機を装備するボトルも提案している。
【００１２】
これらの提案は、保護指数を選ぶという問題に対する、完全に満足のいく解決策であるわけではなく、というのは、一方では、提案されているシステムは比較的複雑および高価であり、他方では、個人の日焼けのレベルを正確に考慮するわけではないからである。
【００１３】
太陽に露出される時間に、および皮膚の敏感度に特に依存して、使われるべき保護についてのアドバイスを与えるために、皮膚に対して測定を実施する他のシステムが存在する。したがって、特許文献３は、皮膚タイプを測定するための反射計または比色計を含む、ＵＶを検出するための可搬型デバイスを開示している。いくつかの測定は、平均を算出するため、または太陽に対する最も高い敏感度を表す測定値を保持するために、体に対して実施することができる。
【００１４】
そのようなデバイスは、ユーザに、日焼けによって取得しやすい個人の皮膚色については知らせない。さらに、特定の使用法を有するそのようなデバイスは、製造するのに比較的費用がかかる場合があり、そうすることによって、使用が制限される。
【００１５】
最後に、他の既存システムは、アドバイスを与えるために、皮膚タイプを決定するための質問表を使うが、この質問表に対する回答は、たとえば、子供の頃の記憶に関するので、かなり主観的または不正確である場合がある。
【００１６】
特許文献４は、人が顔を入れる穴を含む球状の箱を開示している。この箱は、顔を散光で照らす。１つまたは複数のカメラの色を較正するためのプロセスの間、この人の額に、接着式基準チャートが置かれ得る。
【００１７】
特許文献５号は、助言されるべき個人の居場所に特に依存して、個人向け助言を与えることを提唱している。
【先行技術文献】
【特許文献】
【００１８】
【特許文献１】仏国特許出願公開第２９３７５１１号明細書
【特許文献２】米国特許出願公開第２０１１／０２４７７１８号明細書
【特許文献３】米国特許第８０４４３６３号明細書
【特許文献４】米国特許出願公開第２００３／００６７５４５号明細書
【特許文献５】米国特許出願公開第２００３／００６４３５０号明細書
【非特許文献】
【００１９】
【非特許文献１】Ａ．Ｃｈａｒｄｏｎ、Ｉ．Ｃｒｅｔｏｉｓ、Ｃ．Ｈｏｕｒｓｅａｕ、「Ｓｋｉｎ  ｃｏｌｏｒ  ｔｙｐｏｌｏｇｙ  ａｎｄ  ｓｕｎｔａｎｎｉｎｇ  ｐａｔｈｗａｙｓ」、Ｉｎｔｅｒｎａｔｉｏｎａｌ  Ｊｏｕｒｎａｌ  ｏｆ  Ｃｏｓｍｅｔｉｃ  Ｓｃｉｅｎｃｅ  第１３巻、１９１頁〜２０８頁（１９９１年）
【非特許文献２】Ｓ．Ｄｅｌ  Ｂｉｎｏら、「Ｒｅｌａｔｉｏｎｓｈｉｐ  ｂｅｔｗｅｅｎ  ｓｋｉｎ  ｒｅｓｐｏｎｓｅ  ｔｏ  ｕｌｔｒａｖｉｏｌｅｔ  ｅｘｐｏｓｕｒｅ  ａｎｄ  ｓｋｉｎ  ｃｏｌｏｒ  ｔｙｐｅ」、Ｐｉｇｍｅｎｔ  Ｃｅｌｌ  Ｒｅｓ．  Ｊｏｕｒｎａｌ  ｃｏｍｐｉｌａｔｉｏｎ  ２００６年  Ｂｌａｃｋｗｅｌｌ  Ｍｕｎｋｓｇａａｒｄ
【発明の概要】
【発明が解決しようとする課題】
【００２０】
取得することが所望される色素沈着および／またはすでに取得されている色素沈着に特に依存して、できるだけ多くの人が、所与の環境において使うべき光防護に関する個人向けアドバイスにアクセスしやすくなるようにする必要がある。
【課題を解決するための手段】
【００２１】
さらに、多くの人が、たとえば、太陽への比較的長い露出、および／または皮膚の色を一時的に変えることを意図した組成物の使用、ならびに色素沈着プロセスにより取得可能な色を皮膚に与えることの間で決断を行うのを助けるために、どの自然な皮膚色が色素沈着プロセスによって損なわれやすいかを知りたいと思っている。
【００２２】
本発明は、特に皮膚の色を一時的に変えることを意図した光防護組成物または製品を選ぶのを助けるための化粧方法により、これらの要件の全部または一部を満たし、この方法において、
ａ）カラーカメラを装備するデバイスを使って、および個人の体の部位からの色の獲得中に前記カメラのフィールド内に色基準チャートを配置することによって、色が獲得され、
ｂ）デバイスと、ａ）で獲得された色と、任意選択で様々な皮膚色の日焼け経路についての情報とを使って、皮膚タイプに関する少なくとも１つの指示が配信され、かつ／あるいは個人によって色素沈着または色素脱失プロセスにより取得可能な少なくとも１つの皮膚色に関する指示が配信され、かつ／あるいは光防護、特にＵＶ−Ａおよび／もしくはＵＶ−Ｂ光防護、ならびに／または皮膚の色を一時的に変えることを意図した製品の適用もしくは管理に関する少なくとも１つの指示が配信され、指示は好ましくは自動的に配信される。
【００２３】
「取得された色素沈着」という表現は、特に明記しない限り、日焼けから取得された結果を意味するものと理解されたい。
【００２４】
「取得されるべき色素沈着」という表現は、特に明記しない限り、日焼けから取得されるべき結果を意味するものと理解されたい。
【００２５】
「色素沈着プロセス」という表現は、特に明記しない限り、日焼けプロセスを意味するものと理解されたい。
【００２６】
日焼け経路についての情報は、皮膚タイプを示すために求められるのではなく、色素沈着プロセスにより取得可能な１つまたは複数の皮膚色を決定するのに必要である。
【００２７】
簡略化した変形形態において、光防護に関して与えられるべき指示は、皮膚タイプのみに基づき得るが、好ましくはこの指示は、的確であり個人向けのアドバイスを与えるために、後で詳述する付加情報も考慮する。
【００２８】
本発明により、スマートフォンまたはタブレットコンピュータなど、現時点で一般人にとって広く入手可能であるデバイスの低価格のカラーカメラを使って、皮膚の色の厳密な測定を実施することが可能である。
【００２９】
さらに、これらのデバイスは、スクリーンと、メモリと、色素沈着プロセスにより取得可能な１つもしくは複数の皮膚色および／または適用されるべき光防護に関する指示を配信させるアルゴリズムを高速で稼働するのに十分な処理容量とを有する。
【００３０】
したがって、ユーザは、本発明により、自分の皮膚タイプが何であるかを学習することができ、デバイスは、ＵＶ光線に対するユーザの敏感度に適した光防護を提唱するのに使うことができる。
【００３１】
さらに、本発明は、太陽に対する皮膚の敏感度を経験的に診断させ、したがって質問表の使用による誤りを回避する。
【００３２】
ユーザは、自分の皮膚の色のどのような変化を予期することができるかも学習し、この情報に依存して、色素沈着プロセスから取得したいと思う結果を決めることができる。デバイスは次いで、たとえば、この結果を取得するのに必要とされない過剰なＵＶ放射を可能な限り遮りながら、この結果を取得するために、使われるべき光防護についてのアドバイスを与えることができる。
【００３３】
上述したように、皮膚の色を一時的に変えることを意図した製品の適用または管理に関する少なくとも１つの指示は、ステップｂ）で配信することができる。
【００３４】
前記製品は、経口または局所組成物であり得る。前記製品は、好ましい変形形態では、栄養補助食品および／または自己日焼け製品である。好ましい変形形態において、製品は、色素形成促進、脱色または抗着色製品である。
【００３５】
本発明は、所望される場合、適用されるべき化粧品に関する、および特に消費者に提案するための指示を与えることも可能にする。この化粧品は、太陽からの保護を提供することができ、任意選択で、自然な皮膚色、すなわちユーザの日焼け経路上にある皮膚色を取得させる、または日焼けをしないかなり色白な皮膚の場合は不自然な皮膚色を取得させる、色付きの太陽光線保護製品であってよい。
【００３６】
たとえば前記ユーザが比較的色素沈着していない皮膚色を取得することを望むとき、美白組成物の使用も、ステップｂ）でユーザに提案することができる。
【００３７】
有利には、ステップａ）は、太陽に露出されない皮膚に対して少なくとも一度実施される。本方法は、デバイスを使って、かつ好ましくはカメラのフィールド内に色基準チャートを再度配置して、すでに太陽に露出されている可能性がある別の皮膚部位における第２の獲得を実施することにあるステップｃ）を含み得る。
【００３８】
デバイスは任意選択で、体または顔のどの部分において獲得が実施されるかをユーザに指示させるようにプログラムされてよく、この情報および対応する色測定の結果は、デバイスに、またはリモートサーバに記憶することができる。
【００３９】
測定に使われる体または顔の部分についての情報により、必要な場合、体の各部位に特有の日焼け経路を利用させることによって、色素沈着プロセスにより取得可能な色が、より精密に予測され得る。
【００４０】
ａ）およびｃ）で実施される色獲得と、ａ）で決定される非露出皮膚色についての日焼け経路の情報とに基づく、体もしくは顔の部位によってすでに取得された実際の色素沈着および／または光防護レベルに関する情報は、デバイスにより自動配信され得る。
【００４１】
したがって、ユーザは、どの程度日焼けしたいかに依存して、可能な光防護製品を選ぶことを決断することができる。たとえば、ユーザは、実際の皮膚色を保つために、または太陽への継続露出が、皮膚の色の素早く、観察可能な変化につながるとは予期されず、したがって皮膚の光老化を加速させる危険をさらに冒す追加露出の理由がないので、光防護製品を適用すると決めることができる。
【００４２】
デバイスは、ユーザの体または顔の各部位に使うべき光防護に関する情報をユーザに提供することができるので、ユーザは、この部位の色を、好ましくは色基準チャートを毎回使って測定するだけでよい。
【００４３】
デバイスは、所与の場所に留まる時間の長さについての情報を入力するよう、ユーザに依頼するようにセットアップすることができ、光防護に関する指示は、滞在の長さに関するこの情報に依存して、たとえばデバイスが自動的に接続することができるサーバおよび／または局所的天候センサが照会された後、デバイスによって配信することができる。
【００４４】
センサは、天候関連データの少なくとも１つの項目、好ましくは環境ＵＶ放射強度の測定の結果を配信することができる。センサによって配信された測定の結果を使うことにより、有利には、天気予報に関するいかなる疑問もなくなる。必要とされることは、デバイスが、物理的に、および／またはデータ交換ネットワークにより、前記センサに接続されることだけである。センサおよびデバイスについて構想され得る様々な構成に関する詳細については、後で挙げる。
【００４５】
必要な場合、デバイスは、滞在の場所および長さに関する情報を、ユーザの電子カレンダから、またはこの情報を含むサービスプロバイダサイトから集めるようにセットアップされ得る。
【００４６】
使うべき光防護に関する情報は、デバイスのスクリーンに表示されるのに加え、ユーザの電子カレンダに、たとえばＧｏｏｇｌｅカレンダやｉＣａｌｅｎｄａｒに送られ得る。
【００４７】
デバイスは、たとえば、略称、ロゴ、および／またはスケール、任意選択で色スケールの形で示される、使うべきＳＰＦ指数および／または使うべき組成物の商標および／またはＵＶ−Ａ保護指数、ならびに／あるいは電磁スペクトルの自然および／または人工的に生成された部分からの保護を表す指数を表示することによって、使うべき光防護に関する指示を配信するようにセットアップされ得る。日々使われるべきＳＰＦ指数は、今後数日間、たとえば少なくとも次の３日間表示されてよい。この情報は、たとえば、より正確な天気予報が入手可能になると、定期的に更新されてよい。必要な場合、デバイスは、ユーザが自由に使える光防護組成物の銘柄を知らされ、適用するべき光防護および／または露出の推奨される長さに関して配信される指示は、この光防護組成物のＵＶ遮断性を考慮するが、遮断性について、ユーザは、知っているか、またはデータベースにアクセスすることによって見つけ出すことができる。必要な場合、遮断性は、光防護組成物のパッケージング上のコードによって示され、デバイスはこのコードを解読することができる。
【００４８】
デバイスは、本出願人による特許文献２に記載されているインテリジェントボトルなどのデバイスを制御するようにセットアップされてもよく、このボトルは、所望の光防護指数をもつ光防護組成物を取得するために、作成されるべき混合物を特定する信号を受信することが可能である。この場合、ワイヤレスに、たとえばＷｉ−Ｆｉ（登録商標）またはＢｌｕｅｔｏｏｔｈ（登録商標）接続を介して通信するのに、デバイスの能力が使用され得る。
【００４９】
有利には、デバイスは、取得されるべき所望の色素沈着レベルおよび／または皮膚色に関する情報を入力するよう、ユーザに依頼するように、ならびにこの情報に少なくとも基づいて、および好ましくは今後の天候についての情報にも基づいて、適用するべき光防護に関する指示を配信するようにセットアップされる。取得されるべき所望の色素沈着レベルをユーザが選択するのを助けるために、いくつかの皮膚色がデバイスのスクリーンに表示されてよく、これらの皮膚色は、スクリーンの色ずれの範囲内まで、色素沈着プロセスによりユーザによって取得可能な色に対応する。
【００５０】
この色ずれを最小限にするために、スクリーンの色を較正することができる。この較正は有利には、光防護組成物および／または皮膚の色を一時的に変えることを意図した製品の販売時に実施されてよい。ユーザは、同じ販売時に、ソフトウェアをダウンロードするよう勧められる場合があり、このソフトウェアは続いて、ユーザに、本発明によるプロセスの実装のコンテキストにおいて、自分の皮膚の色を測定させる。ダウンロードされるソフトウェアは、スクリーンを較正するためのデータを含み得る。変形形態として、ユーザは、他のソースから入手可能な既存ツールを使って、自分でスクリーンの色を較正する。例として、ｉＰａｄスクリーンの色を較正させる、Ｄａｔａｃｏｌｏｒ製のアプリケーション「ＳｐｙｄｅｒＧａｌｌｅｒｙ（商標）」およびプローブ「Ｓｐｙｄｅｒ３（商標）」に言及することができる。
【００５１】
訂正されていない色ずれが存在するときであっても、スクリーンは、具体的には、色素沈着プロセスにより取得可能な様々なレベルに対応する表示色をユーザに比較させることによって、有用な情報をユーザに提供することができる。ユーザの実際の皮膚色も、表示され、比較され得る。したがって、ステップｂ）で配信されることが可能な、色素沈着プロセスにより取得可能な皮膚色に関する指示は、範囲が限定されると理解されてはならず、表示される色が、色を正確に再現するスクリーンの能力の範囲まで、実際の色に対応する状況を包含することが理解されよう。
【００５２】
デバイスは、所望の皮膚色に関する情報を入力するよう、ユーザに依頼し、所望の色がどのようにして取得され得るかについての情報を、ａ）で実施される獲得に少なくとも依存して、および好ましくはｃ）で実施される獲得にも依存して配信することができる。
【００５３】
ユーザが皮膚色を選択させられると、デバイスは、自由に使える情報項目を考慮して、この色が、所与の期間が終わるときに、色素沈着プロセスにより取得されるかどうか決定するようにセットアップされてよい。たとえば、デバイスは、滞在が終わるときに、所望の皮膚色が取得されないことをユーザに知らせるために、所与の場所での滞在の長さと、この場所の天気予報とを考慮すればよい。この場合、デバイスは、皮膚の色を一時的に変えることを意図した少なくとも１つの組成物、特に所望の色を取得させる化粧、自己日焼け、色素形成促進、脱色または抗着色製品を使うことを提唱するようにセットアップされてよい。
【００５４】
デバイスは、太陽への露出が終わり、取得された色素沈着が徐々に失われつつあるときに、たとえば日常的に、皮膚の色を測定し、皮膚の色を一時的に変え、色素沈着プロセスにより取得可能な自然な皮膚色、具体的にはユーザによって選択された色を保つために適用または管理されることを意図した製品に関するアドバイスをユーザに配信するのに使うこともできる。この場合、デバイスは、以前獲得された色素沈着の全部または一部を失ったユーザに、色素沈着プロセスにより以前取得された色を取り戻すことができるように、化粧または色素形成促進組成物を適用することを提唱すればよい。
【００５５】
任意選択で、デバイスは、具体的には色素沈着プロセスにより取得可能な自然な色を再現するために、所望の外見の取得に最も適した色をもつファンデーションを渡すために、たとえば中性塩基および１つまたは複数の色素剤を含む、特許文献２に記載されているようなインテリジェントボトルを制御することができる。
【００５６】
一変形形態では、デバイスによって制御されるインテリジェントボトルは、所望の皮膚色を取得するように、デバイスによって定義された可変濃度を有する自己日焼け組成物を渡す。
【００５７】
デバイスは、色を変えさせる塗布器、たとえばエアブラシまたは超音波もしくは静電吹き付け器を制御することもでき、そうすることによってこの塗布器は、ユーザによって所望される結果を取得させる色を届ける。
【００５８】
デバイスは、皮膚の色を一時的に変えることを意図するとともに、メモリに記憶された、任意選択で日焼けした皮膚色を取得するのに使われることが可能な複数の組成物、特に化粧品の色特性を有してもよく、この情報を含むデータベースにアクセス可能であってもよい。
【００５９】
算出はすべて、デバイスによって実施することができ、これらの算出を実施するのに求められるデータ、および様々な測定に続いてメモリに記憶される情報はすべて、デバイスに含まれ得る。
【００６０】
ただし、変形形態として、算出の一部は、デバイスの外部にあるリモートサーバによって実施することができ、デバイスは、これらの算出を実施するのに必要とされる情報をサーバに送信し、その後、これらの算出の結果を受信する。デバイスの通信能力は次いで、有利にはこの情報を交換するのに使われる。
【００６１】
別の変形形態として、プログラムがデバイス上で稼働されている間、データは、収集され、かつ／またはリモートサーバに保存される。
【００６２】
デバイスは、素肌の色を測定するのに使われるが、たとえば、適用される化粧組成物がユーザの皮膚色にどの程度適しているかに関する情報をユーザに提供するために、化粧した皮膚の色を測定するのに使うこともできる。たとえば、デバイスは、ユーザが施している化粧が、比色分析によると、色素沈着プロセスにより取得可能な皮膚色とは比較的異なる色を皮膚に与えることをユーザにシグナリングすることができる。この情報は、たとえば、より自然な皮膚色を取得するために、適用される化粧の色を変えるための方法に関する数値および／または指示の形で配信される。この配信は、どのファンデーションがユーザの自然な皮膚色に最も合いそうかをユーザが決定するのを助けることができる。
【００６３】
デバイスは、自由に使える化粧品についてユーザに尋ね、これらの組成物の比色特性およびユーザの皮膚色がわかると、程度の差はあるがユーザの自然な皮膚色に合わせる化粧アドバイスを生成することもできる。デバイスは、具体的には、たとえば、デバイスによって指示された製品の範囲から選ぶことによって、および／または様々な指示された製品の混合を提唱することによって、あるいは通常入手可能な食品および／またはこれらの製品の混合の比率を特定することによって、どの製品が、自然な皮膚色に最もよく似ている色を取得させるかをシグナリングすることができる。
【００６４】
本発明は、ａ＊（赤／緑軸上の位置）を表す量が、太陽への露出の前および後に測定され、その差に依存して、紅斑の有無が決定される方法にも関する。ａ＊の測定は、ステップａ）またはｃ）で実施することができる。
【００６５】
本発明の別の主題は、紅斑が検出された場合、デバイスが警告メッセージを配信し、かつ／または適用するべき光防護組成物を推奨するときに紅斑を考慮する方法である。
【００６６】
本発明は、特に、本発明による方法を実装するための、皮膚の色の獲得がそれを通して実施され得るウィンドウを含む色基準チャートにも関し、チャートは好ましくは、少なくとも３つの異なるグレーレベルおよび少なくとも３つの異なる色を含み、チャートは好ましくは、非条件等色インクを使っても作成される。チャートの可能残差条件等色により好ましくは、光源Ｄ６５、ＡおよびＣＷＬの下での皮膚の色の測定に誤差が生じ、誤差によりデバイスは、皮膚が実際よりも色白であると見なす。このチャートは、下でより詳細に説明される。
【００６７】
本発明は、データを含む、方法を実装するためのコンピュータソフトウェアパッケージにも関し、データは、カメラを装備する、スマートフォンまたはタブレットコンピュータなどのデバイスに、好ましくはリモートサーバへの接続によってロードされると、
・皮膚に置かれたチャートの画像の獲得を制御させ、
・色基準チャートおよびこのチャートに隣接する皮膚の部位を認識させ、
・デバイスの獲得ユニットを、チャートの絶対色座標についての情報により、比色分析により較正させ、
・皮膚タイプに関する指示ならびに／あるいは色素沈着または色素脱失プロセスにより取得可能な少なくとも１つの個人皮膚色に関する指示ならびに／あるいは皮膚の色を一時的に変えることを意図した製品の適用もしくは管理および／または適用されるべき光防護に関する指示を、画像中で測定された皮膚色の情報に、および任意選択で日焼け経路についての情報に基づいて生成させる。この皮膚色は任意選択で、ソフトウェアパッケージによって示される銘柄の化粧品のパッケージング上で提供される、皮膚色スケールを含むスケールバーから読み取ることができる。
【００６８】
そのようなプログラムは、たとえば、Ａｐｐｌｅ  Ｓｔｏｒｅ、Ｗｉｎｄｏｗｓ（登録商標）  Ｓｔｏｒｅ、もしくはＡｎｄｒｏｉｄ  Ｍａｒｋｅｔなどのサイトからダウンロードされ、または光ディスクもしくは電子メモリ上で提供される。
【００６９】
本発明は、添付の図面を確認しながら、非限定的な例示的実施形態の以下の詳細な説明を読めば、より良く理解できよう。
【図面の簡単な説明】
【００７０】
【図１】本発明を実装するためのシステムの例を概略的に示す図である。
【図２】色基準チャートを独立して示す図である。
【図３】チャートとともに提供される例示的なパッケージングおよび流通ユニットを示す図である。
【図３ａ】保護カバー、デバイスおよびチャートを備える組立て品を示す図である。
【図４】チャートがパッケージングされ得るフォーマットの例を示す図である。
【図５】チャートがパッケージングされ得るフォーマットの例を示す図である。
【図６】本発明による方法の例における様々なステップを示すフローチャートである。
【図７】Ａ．Ｃｈａｒｄｏｎによって表された日焼け経路の例を示す図である。
【図８Ａ】デバイスによってプログラムが稼働されているときに表示され得るスクリーンページの例を示す図である。
【図８Ｂ】デバイスによってプログラムが稼働されているときに表示され得るスクリーンページの例を示す図である。
【図８Ｃ】デバイスによってプログラムが稼働されているときに表示され得るスクリーンページの例を示す図である。
【図８Ｄ】デバイスによってプログラムが稼働されているときに表示され得るスクリーンページの例を示す図である。
【図８Ｅ】デバイスによってプログラムが稼働されているときに表示され得るスクリーンページの例を示す図である。
【図８Ｆ】デバイスによってプログラムが稼働されているときに表示され得るスクリーンページの例を示す図である。
【図８Ｇ】デバイスによってプログラムが稼働されているときに表示され得るスクリーンページの例を示す図である。
【図９】ＩＴＡ°角度と生物学的有効線量との間の例示的な相関を示す図である。
【図１０】デバイスを使ってインテリジェントボトルがどのように制御され得るかを示す図である。
【発明を実施するための形態】
【００７１】
図１に示す、本発明によるシステム１は、可搬型デバイス２０および色基準チャート３０を備え、これらについて、続けて詳しく記載する。
【００７２】
色基準チャート
チャートの非限定的例を、図２に示す。
【００７３】
チャートは、少なくとも１つのゾーン、および好ましくは複数のゾーンを含み、それらの色座標は、基準色空間、好ましくはＣＩＥ（１９７６）Ｌ＊ａ＊ｂ＊色空間における精度が知られている。
【００７４】
好ましくは、チャートは、異なる光源に対して可能な限り鈍感になるために作成され、したがって、特に標準ＣＩＥ光源Ｄ６５、ＡおよびＣＷＬに対して、かすかに条件等色または非条件等色である色素を使って作成することができる。
【００７５】
好ましくは、色基準チャートは、少なくとも３つの異なるグレーレベルＧ１、．．．、Ｇｎおよび少なくとも３つの異なる色Ｃ１、．．．、Ｃｍ、ならびに好ましくは少なくとも６つのグレーレベルおよび６色、たとえば２つの肌色、２つの青、１つの赤および１つの緑を含む。
【００７６】
グレーレベルおよび色は各々、セクタの形をとることができ、これらのセクタすべてが一緒に、有利には完全な境界線を形成する。
【００７７】
セクタまたは他の色付きもしくはグレー部分は、隣接し合ってもよく、たとえば、黒ストリップで分けられてもよい。
【００７８】
図２に示すように、チャートは好ましくは、有利には中心に位置するウィンドウ３１を含む。皮膚の色の獲得は、好ましくはウィンドウ３１を通して皮膚を観察することによってデバイスを使って実施される。
【００７９】
チャートの外側の輪郭線は、たとえば図示のようにほぼ円形であるが、本発明は、特定の形状を有するチャートには限定されず、チャートは、たとえば多角形状を有してもよい。
【００８０】
チャートの最大寸法、たとえば図示のような円形チャートの場合の外径は、たとえば５ｃｍ以下であり、好ましくは２ｃｍと４ｃｍの間であるので、体または顔の様々な部位に容易に位置決めすることができる。
【００８１】
ウィンドウ３１は好ましくは、サイズが０．５ｃｍ２よりも大きく、好ましくは、サイズが１ｃｍ２と５ｃｍ２との間であり、正確な測定を可能にするために、皮膚の十分大きいエリアが見えるようにする。
【００８２】
ウィンドウ３１は、図示のように円形の穴で画定され得るが、変形形態として、ウィンドウは非円形輪郭を有してもよく、たとえば多角輪郭または何らかの他の形状の輪郭を有する。
【００８３】
色基準チャート３０は、どの媒体３２上に作成することもできるが、好ましくは、柔らかい媒体上、たとえば紙の上に、印刷することによって作成される。使われるインクは好ましくは、チャートを光源に対して、特に光源Ｄ６５、Ａ、およびＣＷＬに対して十分に鈍感にするように、非条件等色インクである。媒体３２は好ましくは、印刷する前は不透明または白であり、印刷はフレキソ、オフセットまたはデジタル印刷によって実施することができる。媒体は、紙、厚紙または好ましくはポリオレフィン、特にＰＥまたはＰＰなどの合成物質で作られ得る。使われる厚さは、たとえば３０μｍ〜２ｍｍであり得る。
【００８４】
一実施形態では、チャートの様々な領域の色Ｌ＊ａ＊ｂ＊座標は、次の通りである。
【００８５】
【表１】
2015510405.tif 000003
【００８６】
光源の関数として測定される皮膚色の変化により生じるＩＴＡ°角度の算出における誤差が比較的小さいままであるようにチャートを作成することが可能であることが証明されている。好ましくは、この変化ΔＥは、分光比色計を用いて検査が実施されるとき、２よりも小さい。
【００８７】
具体的には、カメラを用いて測定されるＩＴＡ°とチャートとの間の差が、より厳密な分光光度比色計測定を使って算出されるＩＴＡ°よりも小さいことが有利である。したがって、誤差は、皮膚の保護不足よりもむしろ保護過剰につながるが、保護過剰は、紅斑の危険の低下に関しては有利である。
【００８８】
皮膚に適用されるチャートの側面は、たとえば圧力敏感接着剤でコーティングされた媒体を使うことにより、接着式にすればよい。接着剤は低刺激性である。変形形態として、皮膚と接触する側面は、たとえばざらざらした、たとえば多孔性の材料の使用により、滑らない。必要な場合、チャートを簡単にはがすために、ノッチまたはタブを設ければよい。
【００８９】
必要な場合、チャートは、再利用可能にするために洗えるようにすればよい。
【００９０】
チャートは、光防護組成物を、たとえば同じパッケージに入れて、または図３に示すように、再配置可能な接着剤で上部に接着接合させて、ユーザに提供され得る。変形形態（図示せず）として、チャートは固定され、特に、光防護組成物を含む容器の、本体ではなく蓋に接着接合される。チャートは、本発明を実装するのに必要とされるアルゴリズムをデバイスに実行させるプログラムが記憶されたデジタル媒体と同じパッケージに入れて提供されてもよい。
【００９１】
図３ａは、チャート３０が、デバイスを保護するためのケーシング２２とともにユーザに提供される変形形態を示し、デバイスは、たとえばスマートフォンまたはタブレットコンピュータである。チャート３０およびケーシング２２は、図示のように、同じパッケージング５０に入れてユーザに提供することができる。チャート３０は、たとえば接着接合によってケーシング２２に固定されることが可能なように、および使用するときにはケーシングから分離されることが可能なように構成され得る。
【００９２】
複数の自己接着式チャート３０がユーザに提供されてよく、これらのチャートは、図４に示すように、同じ抗接着式保持シート３４に接合される。
【００９３】
したがって、ユーザは、先に使っていたチャートの粘着性が、測定を行うのに十分な時間皮膚に接着するのに十分ではなくなったとき、新しいチャートを使えばよい。
【００９４】
必要な場合、抗接着剤保持シート３４は、図５に示すように、ストリップの形をとり、リールに内包され得る。
【００９５】
チャートは、デバイスがチャートを認識するため、またはチャートを使えるようにするためのアプリケーションをユーザがダウンロードするための識別子３６またはハイパーリンクもしくはバーコードを含み得る。変形形態として、この識別子、リンクまたはバーコードは、チャートが含まれるパッケージ内にある。
【００９６】
デバイスによるチャートの認識は、異なるプロパティをもついくつかのチャートが市場に出回っているときに有用であり得る。
【００９７】
この場合、デバイスは、チャートを認識するので、適切な色データにアクセスすることができる。
【００９８】
変形形態として、チャートは、チャートの様々な領域の色座標をデバイスに直接知らせるコードを含む。コードは、たとえば、色座標、たとえばチャートの印刷の後で測定された色座標をエンコードするデータ行列２Ｄバーコードである。
【００９９】
変形形態として、チャートは、セキュリティ要素を含み得る。この場合、デバイスは、チャートに存在する前記セキュリティ要素によって生じられた信号を認識し、したがって、前記信号が検出されたとき、本発明による方法が実装されるのを許可するように構成され得る。デバイスは、当然ながら、前記信号が検出されないときは、本発明による方法が実装されるのを防止するように構成されてよい。セキュリティ要素の存在により、ユーザは、たとえばチャートにあるセキュリティ要素によって生じる可視光効果を探すことによって、チャートの正統性をチェックすることもできるようになる。
【０１００】
チャートに組み込まれ得るセキュリティ要素のうち、いくつかのセキュリティ要素は、日光または人工光の下で、どの特定の装置も使わずに、裸眼で検出することができる。これらのセキュリティ要素はたとえば、色付き繊維もしくは薄片、または部分的もしくは完全に金属化もしくは印刷された糸を含む。これらのセキュリティ要素は、レベル１セキュリティ要素と呼ばれるものである。
【０１０１】
他のタイプの追加セキュリティ要素は、紫外線（ＵＶ）または赤外線（ＩＲ）ランプなど、比較的単純なデバイスを使うだけで検出することができる。これらのセキュリティ要素はたとえば、繊維、薄片、ストリップ、糸または粒子を含む。これらのセキュリティ要素は、裸眼で見える場合も見えない場合もあり、たとえば、３６５ｎｍの波長で放射するＷｏｏｄのランプからの照明の下で発光する。これらのセキュリティ要素は、レベル２セキュリティ要素と呼ばれるものである。
【０１０２】
他のタイプのセキュリティ要素の検出には、より精巧な検出デバイスの使用が必要である。これらのセキュリティ要素はたとえば、１つまたは複数の外部励起ソースに同時にまたは他のやり方で当てられたとき、特定の信号を生成することが可能である。必要な場合、信号の自動検出によりチャートが認証される。これらのセキュリティ要素はたとえば、これらの追跡子が光電子、電気、磁気、または電磁気的励起を受けたとき、特定の信号を生成することが可能な活物質、粒子または繊維の形をとる追跡子を含む。これらのセキュリティ要素は、レベル３セキュリティ要素と呼ばれるものである。
【０１０３】
反応剤もチャートに埋め込むことができ、反応剤はたとえば、認証および／または識別を可能にし、かつ／あるいは偽造を防止するための、反応性の化学または生化学製剤であり、製剤は、それぞれ、具体的には、認証および／または識別を可能にし、かつ／もしくは偽造を防止するための少なくとも１つの製剤と反応し得る。
【０１０４】
チャートに存在する１つまたは複数のセキュリティ要素は、レベル１、レベル２またはレベル３セキュリティ要素であり得る。
【０１０５】
チャートはデバイスに依存しないことが好ましいが、チャートは、説明していない変形形態において、それにもかかわらず、デバイスのケーシングに、またはデバイスの被覆物に安全に固定された格納式要素に取り外し可能に取り付けられることによって、デバイスに接続される場合があり、格納式要素は、測定を実施するために引き出され、次いで、その後で元に戻される。
【０１０６】
チャートは、ＵＶから保護する、つやのない、またはつやのあるワニスでコーティングされてよい。
【０１０７】
デバイス
デバイス２０は好ましくは、スマートフォンである。
【０１０８】
デバイスはしたがって、好ましくは、デバイス上でその後で稼働されるソフトウェアパッケージのダウンロード、またはソフトウェアパッケージによって本発明による方法を実装するのに必要とされるデータのダウンロードを可能にするワイヤレステレフォニー機能を装備する。
【０１０９】
デバイスは、メモリカードを受けるためのハウジングを備えてもよく、このカードは、実行されるべきプログラムを含み得る。このカードは、上で示したように、チャートとともに供給されていてよい。
【０１１０】
デバイスは、たとえば１Ｍピクセルを超える、高または低解像度カラーカメラ２１を備え、任意選択で、自動フォーカスおよび／または光ズーム機能を有し得る。
【０１１１】
デバイスはカラースクリーンおよびキーボードも有し、スクリーンはタッチスクリーンであり得る。
【０１１２】
デバイスはたとえば、Ａｐｐｌｅ社によって販売されているｉＰｈｏｎｅ、またはＡｎｄｒｏｉｄもしくはＷｉｎｄｏｗｓ（登録商標）オペレーティングシステムもしくは別のオペレーティングシステムを使うモバイル電話である。
【０１１３】
本発明が実装されるときに稼働されるプログラムは、デバイスに事前インストールされていてもよく、ユーザによる購入後にダウンロードされてもよい。
【０１１４】
プログラムは、サーバに接続することによって、または実行されるべきプログラムを含むメモリカード、たとえばマイクロＳＤカードなどのデータ媒体をデバイスに差し込むことによってダウンロードすることができる。ダウンロードは、必要な場合、短距離接続、たとえばＢｌｕｅｔｏｏｔｈ（登録商標）やＷｉｆｉ（登録商標）接続によって、販売時に実施してよい。
【０１１５】
プログラムがユーザによってダウンロードされなければならないとき、たとえば使われるデバイスのタイプ、ユーザの皮膚タイプ、年齢、性別、および化粧品使用または屋外活動における習慣に関する質問表にユーザが回答した後、ダウンロードが行われてよい。
【０１１６】
デバイスに転送されるプログラムは、この質問表に対する応答に、特にプログラムを受信することになるデバイスの型式に依存し得る。この依存により、獲得中にデバイスのカメラの技術的特徴が考慮され、ユーザに与えられた命令が、デバイスの性質およびデバイスの能力と照合されるので、依存は有利である。
【０１１７】
必要な場合、上述した質問表は、図８Ａに示すように、デバイスによって稼働されるプログラムが開始されると表示される。
【０１１８】
デバイスは、ジオロケーション機能、たとえばＧＰＳチップを設けられてもよい。変形形態として、ジオロケーション機能は、電話ネットワークによって保証される。デバイスによって、場所および天気予報を、図８Ｄに示すように、プログラムの実行コンテキストにおいて表示することができる。
【０１１９】
デバイスは、ＵＶ放射センサを備える必要はない。ただし、好ましくは、デバイスは、ユーザが行く予定の場所における今後の天候についての、および任意選択でＵＶ放射強度についての情報を提供する天気予報サーバに自動的にアクセスしてよい。
【０１２０】
例示的な実施形態において、デバイスは、環境ＵＶ放射の強度の測定を可能にするセンサに接続され得る。この場合、センサは、デバイス上またはデバイスのケーシング上にさえも存在し得る。センサが、ユーザ自身によって、たとえば手首につけて運ばれることを構想することさえもできる。
【０１２１】
デバイスは、スマートフォンである必要はなく、たとえばタブレットコンピュータ、たとえばｉＰａｄ２もしくは別のタブレットＰＣ、スマートデジタルカメラ、ウェブカメラを装備する可搬型コンピュータ、または可搬型デジタル音楽プレーヤ、たとえばｉＰｏｄであってもよい。より全般的には、カメラを備えるとともにソフトウェアパッケージを稼働することが可能などのデバイスが使われてもよい。
【０１２２】
好ましくは、デバイスは手になじむので、皮膚の上に置かれたチャートの画像の獲得中の操作がしやすくなる。
【０１２３】
測定プロセス
測定プロセスの例の様々なステップを、図６に示す。
【０１２４】
測定値を取得するために、欠点がない、すなわちほくろ、傷跡、創傷、無駄毛、および浮き出た血管がない皮膚の部位が選択される。
【０１２５】
本発明の一変形形態によると、皮膚の色は、基準皮膚色を取得するために、通常は太陽に露出されない少なくとも１つの部位で測定され、これは図６のステップ４１に対応する。さらに、皮膚の色は、すでに露出されている部位で測定され得る。ユーザは、デバイスによって、図８Ｂに示すように、どのようなタイプの測定、たとえば非露出皮膚、すなわち「初期ＩＴＡ°」の測定をまたは以前露出された皮膚、すなわち「現在のＩＴＡ°」の測定を実施したいか選ぶよう依頼され得る。
【０１２６】
通常は露出されない部位は一般に、衣服が着用されるせいで、または配向により露出されない部位である。そのような部位はたとえば、腕の上部、腹部、胸または臀部である。
【０１２７】
獲得を実施するために、ユーザは、この部位にチャート３０を置き、チャートの写真を撮り、またはフィルム撮影する。いくつかの写真を撮り、またはステップａ）で前記部位をフィルム撮影することが有利な場合がある。
【０１２８】
ユーザは好ましくは、画像が明瞭となり、チャートの色およびグレー部位を含むようにする。必要な場合、デバイスは、このチェックを自動的に実施し、画像が測定に適さない場合はアラームを鳴らす。
【０１２９】
デバイスによって稼働されるプログラムは、たとえば、チャートの様々な部位についての、カメラによって配信されるＲＧＢ信号が、これらの部位についてデバイスによって知られているＣＩＥ  Ｌ＊ａ＊ｂ＊空間での絶対色座標に変換されるようにする、色変換テーブル用のパラメータを決定する。
【０１３０】
必要な場合、いくつかのチャートが市場で入手可能なケースでは、様々な部位がどのような色に対応するかがデバイスにわかるように、前もってデバイスにチャート識別子を通信することが必要であり得る。この目的のために、チャートは識別子３６を含むことができ、識別子はデバイスによって解読される。
【０１３１】
デバイス２０の色獲得ユニットが較正されると、画像中、たとえばウィンドウの輪郭が画像中で容易に検出され得るチャート内のウィンドウ３１中の皮膚の色が、測定され得る。
【０１３２】
たとえば、ウィンドウ３１を通して観察される皮膚ピクセルのすべてに対して、平均色が決定される。こうすることにより、皮膚についての色座標Ｌ＊、ａ＊およびｂ＊を見つけることができ、ステップ４２で、Ａ．Ｃｈａｒｄｏｎによって確立された、上で挙げた公式を適用することによって、非露出皮膚のＩＴＡ°角度が算出される。
【０１３３】
非露出皮膚のＩＴＡ°角度がわかると、図７に示すように、皮膚タイプを決定し、任意選択で皮膚タイプをユーザに示すことが可能である。たとえば、デバイスは、５５°よりも大きい角度に対しては「かなり色白の皮膚」、４１°＜ＩＴＡ°＜５５°に対しては「色白の皮膚」、２８°＜ＩＴＡ°＜４１°に対しては「中間の皮膚」、１０°＜ＩＴＡ°＜２８°に対しては「オリーブ色の皮膚」、−３０°＜ＩＴＡ°＜１０°に対しては「褐色の皮膚」、またはＩＴＡ°＜−３０°に対しては「黒い皮膚」と表示し、ＩＴＡ°角度の値を表示することもできる。
【０１３４】
さらに、日焼け経路Ｌ＊（明度）が、ｂ＊（青／黄色軸における位置）の関数としてわかっているので、対象となっている皮膚に対する色素沈着プロセス中の、ｂ＊の関数としてのＬ＊の変化を決定し、対応する指示をユーザに配信することが可能である。
【０１３５】
基準ＣＢ１およびＣＢ２によって示される日焼け経路の２つの例が、ほぼ同じ初期ＩＴＡ°角度を有する２人の異なる個人について図７に示されている、上で言及したＡ．Ｃｈａｒｄｏｎによる記事において論じられている基準集団の間での研究から知られている。図７において、日々の日焼け、すなわちＤ１〜Ｄ９の前および／または後にとられた経路が、各日焼け経路上に示されている。
【０１３６】
好ましい変形形態において、デバイスは、後に続く使用を視野に入れて、ユーザの実際の日焼け経路を測定し、憶えるように構成され得る。この測定は、日焼けに費やされる日数、たとえば日焼けに費やされる５〜１５日に対して実施され得る。日焼けに費やされる各日の間、ユーザは、知られている光防護力の光防護組成物を適用し、各日の終わりに、皮膚の色値の獲得を進めることができる。日焼けに費やされる数日にわたってこの色値を獲得することにより、ユーザの実際の日焼け経路を決定することができる。
【０１３７】
本発明による方法のコンテキストにおける、ユーザの実際の日焼け経路を知り、利用することにより、有利には、ステップｂ）で配信される指示がより正確になる。
【０１３８】
太陽への露出の関数としてのＩＴＡ°角度の変化を決定するために、生物学的有効線量（ＢＥＤ，ｂｉｏｌｏｇｉｃａｌｌｙ  ｅｆｆｅｃｔｉｖｅ  ｄｏｓｅ）の関数としてのＩＴＡ°角度を与える関係が使われ、この関係は、非特許文献２による、図９に示す、基準集団に対する実験によって決定される。
【０１３９】
受ける線量は、所与の天候条件および所与の活動に対する、所与の場所におけるＵＶ放射に基づいて算出することができる。活動について知ることは、予期される線量の削減または増大につながる場合があり、たとえば、活動が、動かずに日光浴することを伴う場合、線量は最大限にされる。活動が、おそらくは太陽に相対した配向の継続的変化を伴う、運動をすることを伴う場合、線量は、不活動の場合よりも低くなる。個人が受ける傾向がある線量がわかると、光防護が使われなかった場合に観察されるであろうＩＴＡ°角度の対応する変化を決定することが可能である。
【０１４０】
測定は、ステップ４３で、太陽にすでに露出されている皮膚の部位に対して繰り返されて、ステップ４４で、検討される部位のＩＴＡ°角度を決定し、色素沈着プロセスがどの程度進行したかを突き止めることができる。
【０１４１】
測定された皮膚色と、色素沈着プロセスにより取得可能な１つまたは複数の皮膚色の両方をスクリーンに表示することによって、指示をユーザに配信することができ、取得可能な色は、色が測定された皮膚に適用可能な日焼け経路についての情報を使って算出される。
【０１４２】
スクリーンの色は好ましくは、上で説明したように較正される。
【０１４３】
ただし、スクリーンの色が較正されていない場合であっても、図８Ｆに示す、色素沈着プロセスにより取得可能な１つまたは複数の色の同時表示は、それにも関わらず、比較により、スクリーンの色ずれにかかわらず、ユーザが入手可能な皮膚色の起こり得る変化を見せる情報をユーザに提供する。
【０１４４】
一変形形態では、デバイスはこの色を表示せず、または表示するのに加え、色は、皮膚色の図表集に関する情報を配信し、そうすることによって、ユーザは、図表集の中に、自分の皮膚色と、後に続く色素沈着プロセスにより取得可能な皮膚色とを見つけることができる。そのような図表集は、有利には条件等色をなくすように印刷されるのだが、販売時に存在しても、化粧品組成物と一緒に、またはチャートもしくはデバイスによって稼働されるべきプログラムと一緒にユーザに提供されてもよい。
【０１４５】
必要な場合、チャートは、スクリーンを使って可能であるよりも精密に色をユーザに識別させるためにデバイスが参照し得る色に対応する識別子によって識別される１つまたは複数の肌色を含むことができる。
【０１４６】
本方法は、図８Ｆに示すように、ユーザが取得したいと思う、色素沈着プロセスにより取得可能な色を選択するよう、ユーザに依頼することにあるステップを含み得る。
【０１４７】
たとえば、デバイスは、この図に示すように、ユーザの日焼け経路における色をスクリーンに表示し、ユーザに、色素沈着プロセスから取得されるべき結果として、そのうち１つの色を選択させる。
【０１４８】
デバイスはさらに、ユーザに、所与の場所、たとえば休日の行先に留まる時間の長さを尋ね、この情報に基づいて、ユーザによって選択された色素沈着結果が、許容される時間量において紅斑の危険なしで実現可能かどうか決定することができる。
【０１４９】
デバイスは、皮膚の色に対して受けられる線量の範囲の情報と、日光紅斑の外見とに基づいて、適用されるべき光防護を決定することができる。
【０１５０】
プログラムにより、ユーザは、体の任意の部位において獲得された色素沈着のレベルを測定することもできる。
【０１５１】
こうするために、ユーザは、チャートを使って、獲得された色素沈着レベルを知りたいと思う部位、たとえば額の獲得を実施する。これは、上で詳述したように、ユーザが前もって非露出部位に対して獲得を実施したと想定する。
【０１５２】
チャートを使って、どの部位において実施される獲得によっても、この部位についてＩＴＡ°角度が算出され、非露出部位のＩＴＡ°角度がわかっていると想定すると、基準集団についてわかっているデータに基づいて、この事例では、同じ元のＩＴＡ°、すなわち色素沈着プロセスの終わりに取得される最大ＩＴＡ°角度を有する基準集団が決定される。
【０１５３】
次いで、図８Ｃに示すように、たとえば極度のＩＴＡ°角度および現在のＩＴＡ°角度を示すことによって、ユーザが日焼け経路のどこにいるかをユーザに示すことが可能である。
【０１５４】
この情報は、様々な形で配信することができる。たとえば、デバイスは、ユーザの色素沈着レベルが、体または顔のいくつかの部位においてあまり変わらないことをユーザに知らせるメッセージを配信することができ、これにより、ユーザが、太陽への露出を避け、またはより保護を適用するよう勧めることができる。
【０１５５】
露出部位において実施される色測定は、特に赤／緑軸上のａ＊成分により、発言し得る日光紅斑の外見を検出し、炎症反応が治まるまで、太陽への体または顔のしかじかの領域のさらなる露出を避けることの利益をユーザに知らせるのに使うことができる。
【０１５６】
太陽への露出の前にデバイスによって測定された初期ＩＴＡ°角度および基準ａ＊座標がわかっているので、デバイスは紅斑の有無を決定することができる。デバイスは、新たな測定値を、以前測定された値と、および／または紅斑がない場合に獲得されているべき色素沈着と比較すればよい。
【０１５７】
２つの測定の間の、所与の閾値よりも小さいａ＊の変化は、個人が、紅斑を発現しておらず、保護アドバイスに正しく従ったということを確証することができる。紅斑が検出された場合、警告メッセージが、ユーザに、太陽へのさらなる露出を避けるよう警告する。
【０１５８】
必要な場合、デバイスは、紅斑が検出された場合は、たとえば最大光防護を推奨することによって、続いて適用されるべき光防護組成物を決定するとき、紅斑検出を考慮する。
【０１５９】
デバイスは、図８Ｇに示すように、ユーザによって選択された、色素沈着プロセスにより取得可能である皮膚色をユーザに与える化粧または自己日焼け製品を提唱するようにセットアップされ得る。この図において、デバイスは、推奨日焼け製品または推奨化粧品をユーザに選択させる２つのボタンを表示する。
【０１６０】
メモリに記憶されたプログラムは、しかじかの皮膚色を取得するために適用することができる、いくつかの製品に対する基準を参照し得る。デバイスは、必要な場合、２つのデータタイプ、すなわち取得されるべき色および現在の色と、これらのペアの各々について、適切であり得る、列挙される製品に対する１つまたは複数の基準とを含む、デバイスのメモリに記憶され、またはデバイスにとってアクセス可能なルックアップテーブルにより、ユーザに対して提唱されるべき製品を選ぶことができる。
【０１６１】
獲得の間、または獲得の後、画像が分析されて、非常に不均一な色の部位が皮膚にあるかどうか決定することができ、デバイスは、吹き出物、ほくろ、無駄毛または浮き出た血管など、色の不均一に起因するピクセルの使用を避けるために、皮膚の色を算出するとき、そのような部位を考慮すればよい。デバイスは、色が不均等であるために、別のゾーンで獲得が実施されなければならないことをシグナリングするようにセットアップされてもよい。
【０１６２】
光防護
デバイスは、色素沈着プロセスにより自然に取得可能な色から選択された皮膚色を取得することを目標として、適用されるべき光防護組成物の使用に関する情報をユーザに提供することができる。
【０１６３】
デバイスは特に、取得することが所望される色素沈着結果と、ＵＶ放射強度、予定される活動、および天気予報などの環境指数とに依存して、使われるべきＳＰＦ指数を決定することができる。
【０１６４】
デバイスはたとえば、図８Ｅに示すように、様々な時刻にどのような活動を予定するつもりであるかをユーザに示させる質問表を表示すればよい。
【０１６５】
たとえば、様々な時刻の天気予報が表示されるカレンダがデバイスによって表示され、ユーザは、これらの瞬間の各々について、自分が屋内それとも屋外にいるか、太陽を浴びているかそれとも日よけしているか、高反射性環境にいるかどうか、活動するかそれとも活動しないかを示すことができる。この情報は、デバイスによって、すでに入力されている電子カレンダからインポートすることもできる。
【０１６６】
次に、デバイスは、日々受けやすい最大露出を算出し、たとえばカレンダ上またはデバイスの初期画面上で、たとえば、日中の各瞬間に使われるべき太陽光線保護指数を示すアイコンを生成することによって、推奨を生成する。図８Ｇの例において、デバイスは、今後の日々の各々について、適用されるべき保護指数を示す。
【０１６７】
必要な場合、プログラムは、いくつかの瞬間に、たとえば、いくつかの部位に光防護組成物を適用し直すことの利益をユーザに思い出させるための聴覚、視覚、または触覚信号の放出をトリガする。
【０１６８】
一日の終わりに、たとえばユーザが寝る前に、デバイスは、紅斑がないことを確かめるための新たな測定を実施するのに、および紅斑が検出された場合は、今後の日々に関する、たとえば関連部位を露出しないよう、またはより高い保護指数に変えるよう助言する推奨をユーザに行うのに使うことができる。デバイスは、紅斑が検出されると、適切な緩和用製品の適用を助言することもできる。
【０１６９】
上述したように、デバイスは、図１０に示すように、たとえばデバイスと前記容器／塗布器との間のワイヤレスリンクにより、スマート容器／塗布器１００と呼ばれるものと通信するようにセットアップすることができる。
【０１７０】
たとえば、この容器／塗布器は、異なる保護指数をもつ製品と、たとえば、特許文献２に記載されているような、所望の保護指数を得るために、その中身を選択された比率で混合させる混合器とを含む２つの区画を有する。
【０１７１】
この場合、デバイスは、適切なＳＰＦをもつ組成物を取得させる設定点データを、容器／塗布器に自動的に配信することができる。
【０１７２】
変形形態では、光防護組成物は、カメラを使ってデバイスによって認識することができる識別子、たとえばバーコードを装備するボトルに含まれる。
【０１７３】
デバイスは次いで、ユーザが自由に使える光防護組成物を識別し、組成物がわかると、その使用に関する、たとえば適用頻度を推奨し、または使われる組成物の指数は、ユーザが、紅斑を被る危険を冒さないうちに、太陽の下に一定の時間量だけ留まってよいだけであることをシグナリングするアドバイスを与えることができる。
【０１７４】
デバイスは、必要な場合、ユーザに、太陽に露出してもよいと、または自分を覆うか、もしくは日よけに入る時間であるとシグナリングすることができる。ユーザは、紅斑の危険があるとき、露出の長さおよび受けた線量を算出することによって、デバイスに、アラームを次いで生成させるために、露出が始まった瞬間をシグナリングすることができる。
【０１７５】
デバイスによって稼働されるプログラムは有利には、マルチユーザプログラムであり、そうすることによって、数人の人が、自分を識別し、事前セッションの利益を保持しながらデバイスを次々に使うことができる。
【０１７６】
本発明は、上述の例に限定されない。
【０１７７】
たとえば、非露出皮膚の初期ＩＴＡ°角度の獲得は、専用デバイスを使って販売時に実施され得る。次に、個人は、自分のスマートフォンを使って、非露出部位における獲得をもう一度実施する必要なく、販売時に獲得されたデータが通信されたサーバからアプリケーションをダウンロードすることによって、取得された色素沈着レベルを測定することができる。
【０１７８】
さらに別の変形形態として、ユーザは、ウェブカメラを装備するコンピュータと、たとえば旅行代理店またはホテルから入手したチャートとを利用する。獲得の結果は、たとえば代理店またはホテルによって提案される所与の活動プログラムに依存して、たとえば家族の各メンバが使うべき指数と、各メンバが取得しやすい色素沈着とを示すことによって、光防護に関するアドバイスを生成する遠隔サイトに送られる。
【０１７９】
日焼け経路は、ＣＩＥ  Ｌ＊ａ＊ｂ＊空間以外の色空間において決定することができる。
【０１８０】
ＩＴＡ°角度以外の量を算出することによって、皮膚タイプが決定され得る。
【０１８１】
「〜を１つ備える」という表現は、「少なくとも１つの〜を備える」と同義であると理解すべきである。
【符号の説明】
【０１８２】
１  システム
２０  可搬型デバイス、デバイス
２１  カラーカメラ
２２  ケーシング
３０  色基準チャート、チャート
３１  ウィンドウ
３２  媒体
３４  シート
３６  識別子
５０  パッケージング
１００  スマート容器／塗布器
【図１】
2015510405.tif 000004
【図２】
2015510405.tif 000005
【図３】
2015510405.tif 000006
【図３ａ】
2015510405.tif 000007
【図４】
2015510405.tif 000008
【図５】
2015510405.tif 000009
【図８Ａ】
2015510405.tif 000010
【図８Ｂ】
2015510405.tif 000011
【図８Ｃ】
2015510405.tif 000012
【図８Ｄ】
2015510405.tif 000013
【図８Ｅ】
2015510405.tif 000014
【図８Ｆ】
2015510405.tif 000015
【図８Ｇ】
2015510405.tif 000016
【図１０】
2015510405.tif 000017
【図６】
2015510405.tif 000018
【図７】
2015510405.tif 000019
【図９】
2015510405.tif 000020
【手続補正書】
【提出日】平成26年8月21日(2014.8.21)
【手続補正１】
【補正対象書類名】特許請求の範囲
【補正対象項目名】全文
【補正方法】変更
【補正の内容】
【特許請求の範囲】
【請求項１】
化粧方法であって、
ａ）カラーカメラ（２１）を装備するデバイス（２０）を使って、および色の獲得中に前記カメラのフィールド内に色基準チャート（３０）を配置することによって、個人の体の部位からの色の獲得が行われ、
ｂ）前記デバイスと、ａ）で獲得された前記色と、任意で様々な皮膚色の日焼け経路についての情報とを使って、皮膚タイプに関する少なくとも１つの指示が配信され、かつ／あるいは色素沈着または色素脱失のプロセスにより前記個人が取得可能な少なくとも１つの皮膚色に関する少なくとも１つの指示が配信され、かつ／あるいは光防護、ならびに／または皮膚の色を一時的に変えることを意図した製品の適用もしくは管理に関する少なくとも１つの指示が配信される、方法。
【請求項２】
ステップａ）が、太陽に、または色素沈着もしくは色素脱失を誘発する外因性もしくは内因性刺激に露出されない部位、好ましくは前腕の上部、腹部、胸、または臀部の前記皮膚色を測定するのに使われ、
非露出部位に対して実施される前記測定が、皮膚タイプを決定するのに使われ、皮膚タイプに関する情報が前記デバイスによって配信され、
ｃ）すでに太陽に露出されている可能性がある別の皮膚部位に対して、前記デバイス（２０）を使って、かつ前記色基準チャート（３０）を前記カメラのフィールド内に配置して、第２の獲得が実施され、
前記デバイスを用いて情報が自動的に配信され、前記情報が、ａ）およびｃ）で実施された前記色の獲得と、日焼け経路についての情報とに基づいて、この他の部位によってすでに取得された前記色素沈着および／または光防護レベルに関する、請求項１に記載の方法。
【請求項３】
ユーザが、前記デバイスに、獲得されるべき所望の色素沈着レベルおよび／または皮膚色に関する情報を入力するよう依頼され、前記デバイスに入力された前記情報に少なくとも基づいて、適用されるべき前記光防護についての指示が配信される、請求項１または２に記載の方法。
【請求項４】
ユーザが、所与の場所に留まる時間の長さについての情報を入力するよう依頼され、前記光防護に関する指示が、滞在の長さに関する前記情報に依存して配信される、請求項３に記載の方法。
【請求項５】
ユーザが、所望の皮膚色についての情報を入力するよう依頼され、前記デバイスが、ａ）またはｃ）で実施された獲得に少なくとも依存して、前記色素沈着のプロセスにより、または前記皮膚の色を一時的に変えることを意図した製品の適用もしくは管理により前記皮膚色を取得するための方法に関する情報を配信する、請求項１から４のいずれか一項に記載の方法。
【請求項６】
前記色基準チャート（３０）がウィンドウを含み、前記色の獲得が、前記チャートにおける少なくとも１つのウィンドウ（３１）を通して実施される、請求項１から５のいずれか一項に記載の方法。
【請求項７】
前記色基準チャート（３０）が、少なくとも３つの異なるグレーレベル（Ｇ１、．．．、Ｇｎ）および少なくとも３つの異なる色（Ｃ１、．．．、Ｃｍ）を含む、請求項１から６のいずれか一項に記載の方法。
【請求項８】
前記デバイス（２０）が、可搬型であるとともにスクリーンを備え、前記デバイスが、ワイヤレス電話および／またはコンピュータ接続を装備する、請求項１から７のいずれか一項に記載の方法。
【請求項９】
前記デバイスによって指示が配信され、前記指示が、前記色素沈着のプロセスにより取得され得るユーザの実際の皮膚色に対応する皮膚色を取得するのに適用または管理されるべき、１つもしくは複数の製品および／または皮膚色を一時的に変えることを意図した製品もしくは器具の組合せに関し、前記指示が、ユーザの前記皮膚色、具体的には非露出皮膚色についての、およびユーザの日焼け経路についての情報により決定される、請求項１から８のいずれか一項に記載の方法。
【請求項１０】
前記色の獲得が開始される前にプログラムがダウンロードされ、該プログラムが、前記デバイスに、前記色の獲得を実施させ、前記皮膚タイプに関する、および／または前記色素沈着もしくは色素脱失のプロセスにより取得可能な１つもしくは複数の皮膚色に関する、および／または前記皮膚の色を一時的に変えることを意図した前記製品の適用もしくは管理に関する、および／または適用されるべき光防護組成物に関する１つまたは複数の指示を与えさせる、請求項１から９のいずれか一項に記載の方法。
【請求項１１】
ａ＊を表す量が、太陽への露出の前および後に測定され、その差に依存して、紅斑の有無が決定され、
紅斑が検出された場合、前記デバイスが警告メッセージを配信し、かつ／または適用するべき光防護組成物を推奨するときに前記紅斑を考慮する、請求項１から１０のいずれか一項に記載の方法。
【請求項１２】
請求項１から１１のいずれか一項に記載の方法を特に実装するための色基準チャート（３０）であって、前記皮膚の色の獲得がそれを通して実施され得るウィンドウ（３１）を備え、前記チャートが、好ましくは、少なくとも３つの異なるグレーレベル（Ｇ１、．．．、Ｇｎ）および少なくとも３つの異なる色（Ｃ１、．．．、Ｃｍ）を含み、前記チャートが好ましくは、非条件等色インクを使っても作成され、前記チャートの残差条件等色が好ましくは、光源Ｄ６５、ＡおよびＣＷＬの下で、前記皮膚の色の測定の誤差を生じさせ、前記デバイスに、前記皮膚が実際よりも色白であると見なさせるチャート。
【請求項１３】
請求項１から１１のいずれか一項に記載の方法を実装するためのシステムであって、
・カラーカメラを装備する可搬型デバイス（２０）、好ましくはスマートフォンまたはタブレットコンピュータと、
・前記デバイスによって色座標が知られている色基準チャート（３０）とを備えるシステム。
【請求項１４】
請求項１から１１のいずれか一項に記載の方法を実装するための、データを含むコンピュータソフトウェアパッケージであって、前記データが、カメラを装備する、スマートフォンまたはタブレットコンピュータなどのデバイス（２０）に、好ましくはリモートサーバへの接続によってロードされると、
・皮膚に置かれた色基準チャート（３０）の画像の獲得を制御させ、
・前記色基準チャートおよび前記チャートに隣接する皮膚の部位を画像中で認識させ、
・前記デバイスの獲得ユニットを、前記チャートの絶対色座標についての情報により、比色分析により較正させ、
・皮膚タイプに関する指示ならびに／あるいは色素沈着または色素脱失のプロセスにより取得可能な少なくとも１つの個人皮膚色に関する指示ならびに／あるいは皮膚の色を一時的に変えることを意図した製品の適用または管理および／または適用されるべき光防護に関する指示を、画像中で測定された皮膚色の情報に、および任意選択で日焼け経路についての情報に基づいて生成させるコンピュータソフトウェアパッケージ。
【国際調査報告】
2015510405.tif 000021
2015510405.tif 000022
2015510405.tif 000023